(57)【要約】【課題】レンズ保持体に発生する推力のバラツキを調整しつつ、落下等の衝撃が加わった場合においても、レンズ保持体を筐体との間で支持するばね部材の変形を防止すること。【解決手段】レンズ体を保持するレンズホルダ３と、磁石４ａ〜４ｄ、コイル５及びヨーク６を有し、コイル５への通電によりレンズホルダ３に推力を発生させて光軸方向に沿って移動させる移動機構と、装置本体の筐体に取り付けられ、レンズホルダ３を支持する上側板ばね８と、上側板ばね８の一部を押圧する調整板９とを具備し、上側板ばね８は、筐体に固定される外側固定部８１と、レンズホルダ３に固定される内側固定部８２と、外側固定部８１及び内側固定部８２を連結する腕部８３とを有し、調整板９は、外側固定部８１に連結される腕部８３の根本部分の一部を押圧して上側板ばね８のばね定数を調整する調整片９２ａ〜９２ｃを有することを特徴とする。【選択図】図１
2010217665.tif 000002
【特許請求の範囲】
【請求項１】
レンズ体を保持するレンズ保持体と、磁石、コイル及びヨークを有し、前記コイルに対する通電により前記レンズ保持体に推力を発生させて光軸方向に沿って移動させる移動機構と、装置本体の筐体に取り付けられ、前記レンズ保持体を支持するばね部材と、前記ばね部材の一部を押圧する弾性部材とを具備し、前記ばね部材は、前記筐体に固定される外側固定部と、前記レンズ保持体に固定される内側固定部と、前記外側固定部及び内側固定部を連結する腕部とを有し、前記弾性部材は、前記外側固定部側の前記腕部の根本部分の一部を押圧して前記ばね部材のばね定数を調整する調整片を有することを特徴とするレンズ駆動装置。
【請求項２】
前記腕部の根本部分の一部に調整領域を設け、前記レンズホルダに発生する推力の測定結果に応じて前記調整領域における前記弾性部による押圧位置が決められることを特徴とする請求項１記載のレンズ駆動装置。
【請求項３】
前記弾性部材は、前記調整片を前記腕部に沿って重ねて配置することを特徴とする請求項１又は請求項２記載のレンズ駆動装置。
【請求項４】
前記弾性部材の調整片は、前記ばね部材よりも強い弾性力を有することを特徴とする請求項１から請求項３のいずれかに記載のレンズ駆動装置。
【発明の詳細な説明】
【技術分野】
【０００１】
本発明は、レンズ駆動装置に関し、特に、デジタルカメラにおけるオートフォーカス機構等に好適なレンズ駆動装置に関する。
【背景技術】
【０００２】
従来、デジタルカメラにおけるオートフォーカス機構等に用いられるレンズ駆動装置において、レンズ体を保持するレンズホルダを筐体との間で円環状の板ばねで支持し、磁石、コイル及びヨークからなる移動機構により光軸方向に移動させるものが知られている（例えば、特許文献１参照）。このレンズ駆動装置においては、コイルに対して通電される電流量を変化させることでレンズホルダに発生する推力を制御して、レンズホルダの位置（すなわち、レンズ体の位置）を調節可能となっている。しかしながら、このレンズ駆動装置においては、駆動対象となるレンズホルダを板ばねのみにより支持していることから、板ばねの板厚にバラツキが発生した場合には、レンズホルダに発生する推力にバラツキが生じ、適切にレンズホルダの位置を調節することが困難になる恐れがある。
【０００３】
一方、振動対象物（例えば、分銅）の重量のバラツキや、振動対象物を支持するスプリングの寸法のバラツキなどに起因する振動対象物の振動系の共振周波数のバラツキを調整すべく、スプリングを回転させてスプリングの外端をベース部材に押し付ける押さえ部までの長さ、つまり、スプリングの外端の可動部分の長さを変化させる電磁型アクチュエータが提案されている（例えば、特許文献２参照）。この電磁型アクチュエータにおける振動系の調整技術を上述のようなレンズ駆動装置に適用する場合には、板ばねの板厚のバラツキに起因してレンズホルダに発生する推力のバラツキを調整して、レンズホルダの位置を適切に調節し得る。
【先行技術文献】
【特許文献】
【０００４】
【特許文献１】特開２００６−２８４６５２号公報
【特許文献２】特許第３９５００４３号公報
【発明の概要】
【発明が解決しようとする課題】
【０００５】
しかしながら、上述したような電磁型アクチュエータにおいては、スプリングの外端の可動部分の長さを一定にすべく、押さえ部でスプリングの外端を完全に固定することから、落下等の衝撃が加わった場合に固定された部分からスプリングが変形し易いという問題がある。
【０００６】
本発明は、このような問題点に鑑みてなされたものであり、レンズ保持体に発生する推力のバラツキを調整しつつ、落下等の衝撃が加わった場合においても、レンズ保持体を筐体との間で支持するばね部材の変形を防止することができるレンズ駆動装置を提供することを目的とする。
【課題を解決するための手段】
【０００７】
本発明のレンズ駆動装置は、レンズ体を保持するレンズ保持体と、磁石、コイル及びヨークを有し、前記コイルに対する通電により前記レンズ保持体に推力を発生させて光軸方向に沿って移動させる移動機構と、装置本体の筐体に取り付けられ、前記レンズ保持体を支持するばね部材と、前記ばね部材の一部を押圧する弾性部材とを具備し、前記ばね部材は、前記筐体に固定される外側固定部と、前記レンズ保持体に固定される内側固定部と、前記外側固定部及び内側固定部を連結する腕部とを有し、前記弾性部材は、前記外側固定部側の前記腕部の根本部分の一部を押圧して前記ばね部材のばね定数を調整する調整片を有することを特徴とする。
【０００８】
上記レンズ駆動装置によれば、弾性部材が有する調整片により、筐体との間でレンズ保持体を支持するばね部材を構成する腕部の根本部分の一部を押圧してばね部材のばね定数を調整するようにしたことから、弾性部材の一部によりばね部材を介してレンズ保持体に発生する推力を調整することができるので、レンズ保持体に発生する推力のバラツキを調整しつつ、落下等の衝撃が加わった場合においても、レンズ保持体を筐体との間で支持するばね部材の変形を防止することが可能となる。
【０００９】
上記レンズ駆動装置においては、前記腕部の根本部分の一部に調整領域を設け、前記レンズ保持体に発生する推力の測定結果に応じて前記調整領域における前記弾性部による押圧位置が決められることが好ましい。この場合には、レンズホルダに発生する推力の測定結果に応じて腕部の根本部分の調整領域における押圧位置が決められることから、レンズ保持体に発生する推力のバラツキの各種要因を考慮することなく、効率的にレンズ保持体に発生する推力を調整することが可能となる。
【００１０】
上記レンズ駆動装置において、前記弾性部材は、前記調整片を前記腕部に沿って重ねて配置することが好ましい。この場合には、調整片が腕部に沿って重ねて配置されることから、調整片で腕部の根本部分を確実に押圧することができるので、例えば、腕部の根本部分の１点の位置だけで押圧する場合と比べて、レンズ保持体に発生する推力のバラツキを効果的に調整することが可能となる。また、調整片が腕部の動きに追随して動作し易くなるので、必要以上の力が作用した場合にその力を逃がすことができ、落下等の衝撃が加わった場合においても、レンズ保持体を筐体との間で支持するばね部材の変形を効果的に防止することが可能となる。
【００１１】
上記レンズ駆動装置において、前記弾性部材の調整片は、前記ばね部材よりも強い弾性力を有することが好ましい。この場合には、調整片がばね部材よりも強い弾性力を有することから、落下等の衝撃が加わった場合にばね部材に完全に追随して変形するのではなく、ばね部材に対して効果的に押圧力を付与することができるので、落下等の衝撃が加わった場合においても、レンズ保持体を筐体との間で支持するばね部材の変形を効果的に防止することが可能となる。
【発明の効果】
【００１２】
本発明によれば、弾性部材が有する調整片により、筐体との間でレンズ保持体を支持するばね部材を構成する腕部の根本部分の一部を押圧してばね部材のばね定数を調整するようにしたことから、弾性部材の一部によりばね部材を介してレンズ保持体に発生する推力を調整することができるので、レンズ保持体に発生する推力のバラツキを調整しつつ、落下等の衝撃が加わった場合においても、レンズ保持体を筐体との間で支持するばね部材の変形を防止することが可能となる。
【図面の簡単な説明】
【００１３】
【図１】本発明の一実施の形態に係るレンズ駆動装置の分解斜視図である。
【図２】上記実施の形態に係るレンズ駆動装置が有する調整板の斜視図である。
【図３】上記実施の形態に係るレンズ駆動装置の斜視図である。
【図４】上記実施の形態に係るレンズ駆動装置からカバー部材を取り外した状態の上面図である。
【図５】上記実施の形態に係るレンズ駆動装置の異なる調整板を組み付けた場合の上面図である。
【図６】上記実施の形態に係るレンズ駆動装置の異なる調整板を組み付けた場合の上面図である。
【図７】上記実施の形態に係るレンズ駆動装置の異なる調整板を組み付けた場合の上面図である。
【図８】スポット溶接される上側板ばねを有するレンズ駆動装置を説明するための斜視図である。
【図９】スポット溶接される上側板ばねを有するレンズ駆動装置のスポット溶接部分の拡大図である。
【発明を実施するための形態】
【００１４】
以下、本発明の一実施の形態について添付図面を参照して詳細に説明する。図１は、本発明の一実施の形態に係るレンズ駆動装置１の分解斜視図である。図１に示すように、本実施の形態に係るレンズ駆動装置１は、装置の底面部を構成するベース部材２と、不図示のレンズ体を保持するレンズ保持体としてのレンズホルダ３と、このレンズホルダ３を光軸方向に移動させる移動機構を構成する磁石４ａ〜４ｄ、コイル５及びヨーク６と、レンズホルダ３をベース部材２及びヨーク６に光軸方向に移動可能に支持する一対のばね部材としての板ばね（下側板ばね７、上側板ばね８）と、上側板ばね８のばね定数（ばね荷重）を調整する弾性部材としての調整板９と、これらの構成部品を収容してベース部材２に固定されるカバー部材１０とを含んで構成される。
【００１５】
ベース部材２は、例えば、絶縁性の樹脂材料で形成され、概して矩形状に設けられている。このベース部材２には、コイル５の端部が接続される不図示の金属板材がその一部を露出した状態でインサート成型されている。ベース部材２の中央近傍には、不図示のイメージセンサに対応する位置に円形状の開口部２１が形成されている。また、ベース部材２の四隅部には、後述するカバー部材１０の係合凹部１０３ａ〜１０３ｄに係合する係合片２２ａ〜２２ｄが立設されている。対角線上に配置される係合片２２ａと、係合片２２ｃの近傍には、後述する下側板ばね７の外側固定部７１と略同一形状に構成された補強板１１を挟んで下側板ばね７の位置決めに使用される一対の突出片２３ａ、２３ｂが立設されている。なお、このベース部材２は、レンズ駆動装置１の筐体の一部を構成する。
【００１６】
レンズホルダ３は、例えば、絶縁性の樹脂材料で形成され、概して筒状に設けられている。レンズホルダ３の内周には、ねじ溝が設けられ、不図示のレンズ体をねじ込み可能に設けられている。概して八角形状を有するレンズホルダ３の外周には、コイル５の内周部に嵌合し、コイル５を保持する４つの保持片３１ａ〜３１ｄが設けられている（図１において、保持片３１ｃは不図示）。これらの保持片３１ａ〜３１ｄに対応するレンズホルダ３の上端には、上側板ばね８の位置決めを行う位置決め片３２ａ〜３２ｄが設けられている。これらの位置決め片３２ａ〜３２ｄは、上方側に向けて突出して設けられ、後述する上側板ばね８の切り欠き部８２ａと係合可能に構成されている。また、レンズホルダ３の下端部には、側方側に突出する鍔状部３３が設けられている。鍔状部３３は、後述するコイル５の形状に対応して概して八角形状を有し、保持片３１ａ〜３１ｄに保持されたコイル５の下端部を支持するものとなっている。また、鍔状部３３の下面には、後述する下側板ばね７の切り欠き部７２ａと係合可能な複数の突出片（不図示）が設けられている。
【００１７】
磁石４ａ〜４ｄは、それぞれ平行な一対の外側面部４１、内側面部４２と、これらの外側面部４１と内側面部４２とを繋ぐ斜面部４３とを有しており、ヨーク６の四隅部分に固定される。この場合、磁石４ａ〜４ｄは、外側面部４１及び斜面部４３をヨーク６の四隅の内壁面に対向させると共に、内側面部４２を後述するヨーク６の垂下壁面６３ａ〜６３ｄの内壁面に一定距離を挟んで対向させた状態で固定される。例えば、磁石４ａ〜４ｄは、外側面部４１及び斜面部４３を接着剤等により接着することによって、ヨーク６の四隅部分に固定される。
【００１８】
コイル５は、概して八角形状に束ねられ、上述したレンズホルダ３の保持片３１ａ〜３１ｄによりその内周部が保持される。保持片３１ａ〜３１ｄは、レンズホルダ３の外周面よりも僅かに径方向に突出形成されているため、これらの保持片３１ａ〜３１ｄが存在しない部分において、コイル５は、レンズホルダ３の外周面と一定距離だけ離間した状態で配置されている。このようにレンズホルダ３に保持された状態において、コイル５の外周面は、磁石４ａ〜４ｄの内側面部４２に対向配置される一方、その内周面は、ヨーク６の垂下壁面６３ａ〜６３ｄの内壁面に対向配置されている。
【００１９】
ヨーク６は、金属材料を機械加工することで形成され、図１に示す下方側に開口した箱形状を有している。また、ヨーク６は、概して八角形状に設けられ、その中央に八角形状の開口部６１が設けられている。ヨーク６の四隅における下端部分には、僅かに側方側に突出し、ベース部材２の係合片２２ａ〜２２ｄと係合する係合部６２ａ〜６２ｄが設けられている（図１において、固定片６２ｄは不図示）。また、開口部６１の周縁部におけるヨーク６の四隅部分に対応する位置には、垂下壁面６３ａ〜６３ｄが垂下して設けられている（図１において、垂下壁面６３ａ、６３ｂは不図示）。これらの垂下壁面６３ａ〜６３ｄは、レンズホルダ３を収容した状態において、レンズホルダ３の外周面とコイル５の内周面との間に配置される。さらに、ヨーク６の上面の所定位置には、後述するカバー部材１０の固定ピン１０４が挿入される孔６４ａ、６４ｂが設けられている。なお、このヨーク６は、レンズ駆動装置１の筐体の一部を構成する。
【００２０】
下側板ばね７は、例えば、ベリリウム銅等の導電性材料で構成され、ベース部材２に固定される環状の外側固定部７１と、レンズホルダ３の下端部に固定される環状の内側固定部７２と、これらの外側固定部７１と内側固定部７２とを連結する３本の腕部７３とを有している。外側固定部７１の所定位置には２つの孔７１ａが設けられ、これらの孔７１ａにベース部材２の突出片２３ａ、２３ｂが挿通された状態で下側板ばね７がベース部材２に固定されている。また、内側固定部７２の所定位置には複数の切り欠き部７２ａが設けられ、これらの切り欠き部７２ａにレンズホルダ３の下面に設けられた突出片が収容された状態で下側板ばね７がレンズホルダ３に固定されている。腕部７３は、外側固定部７１の所定位置から周方向に沿って延伸して内側固定部７２に連結されている。また、腕部７３は、その途中で上方側部分を延伸するように折り曲げられている。このため、内側固定部７２は、外側固定部７１よりも僅かに上方側の位置に配置されている。
【００２１】
上側板ばね８は、下側板ばね７と同様に、例えば、ベリリウム銅等の導電性材料で構成され、ヨーク６の上面に固定される環状の外側固定部８１と、レンズホルダ３の上端部に固定される環状の内側固定部８２と、これらの外側固定部８１と内側固定部８２とを連結する３本の腕部８３とを有している。外側固定部８１の所定位置には２つの孔８１ａが設けられ、これらの孔８１ａにカバー部材１０の下面に設けられた固定ピンが挿通された状態で上側板ばね８がヨーク６に固定されている。また、内側固定部８２の所定位置には４つの切り欠き部８２ａが設けられ、これらの切り欠き部８２ａにレンズホルダ３の位置決め片３２ａ〜３２ｄを収容した状態で上側板ばね８がレンズホルダ３に固定されている。腕部８３は、外側固定部８１の所定位置から周方向に延伸して内側固定部８２に連結されている。また、腕部８３は、その途中で上方側部分を延伸するように折り曲げられている。このため、内側固定部８２は、外側固定部８１よりも僅かに上方側の位置に配置されている。
【００２２】
調整板９は、例えば、ステンレス等の金属材料で形成され、上側板ばね８の外側固定部８１と略同一の形状を有している。また、調整板９の所定位置には２つの孔９１が設けられ、これらの孔９１にカバー部材１０の下面に設けられた固定ピンが挿通された状態で調整板９が上側板ばね８に重ねてヨーク６に固定される。調整板９の内周側における所定位置には、詳細について後述するように、上側板ばね８の腕部８３の一部を押圧して、上側板ばね８のばね定数（ばね荷重）を調整する３つの調整片９２ａ〜９２ｃが設けられている。これらの調整片９２ａ〜９２ｃは、上側板ばね８の腕部８３の一部に重ねられて当該部分を押圧する板ばねとして機能する。これらの調整片９２ａ〜９２ｃは、詳細について後述するように、上側板ばね８のばね定数（ばね荷重）を調整することで、レンズホルダ３に発生する推力を調整可能に設けられている。
【００２３】
カバー部材１０は、金属材料を機械加工することで形成されている。カバー部材１０は、概して八角形状に設けられ、その中央に円形状の開口部１０１が設けられている。また、カバー部材１０の四隅部分に対応する位置からは、係合片１０２ａ〜１０２ｄが垂下して設けられている。これらの係合片１０２ａ〜１０２ｄには、ベース部材２の係合片２２ａ〜２２ｄと係合する係合凹部１０３ａ〜１０３ｄ（図１において、係合凹部１０３ｃ、１０３ｄは不図示）が設けられている。また、カバー部材１０の下面における所定位置には、上側板ばね８及び調整板９をヨーク６の上面に固定する２本の固定ピンが設けられている。
【００２４】
ここで、本実施の形態に係るレンズ駆動装置１が有する調整板９と上側板ばね８との位置関係について説明する。図２は、本実施の形態に係るレンズ駆動装置１が有する調整板９及び上側板ばね８の斜視図である。図２に示すように、調整板９は、上側板ばね８の外側固定部８１と略同一の形状を有し、その外側固定部８１の上に重ねられる。調整板９の内周側における設けられた調整片９２ａ〜９２ｃは、調整板９の内周部から僅かに内側に突出すると共に、その周方向に沿って延伸するように設けられている。また、これらの調整片９２ａ〜９２ｃは、上側板ばね８の外側固定部８１における各腕部８３の根本部分の近傍に配置され、当該部分を押圧可能となっている。
【００２５】
なお、本実施の形態に係るレンズ駆動装置１においては、上側板ばね８を５０μｍの板厚のベリリウム銅で構成する一方、調整板９を５０μｍの板厚のステンレスで構成している。この場合、調整板９は、上側板ばね８のおよそ２倍程度の弾性力を有することとなる。このため、製造過程においては、後述するレンズホルダ３に発生する推力を調整することができる一方、レンズ駆動装置１に落下等の衝撃が加わった場合には、上側板ばね８と一緒に弾性変形しながら上側板ばね８を保護することができるように構成されている。
【００２６】
このような構成を有するレンズ駆動装置１を組み立てる際には、コイル５を保持させた状態のレンズホルダ３を、下側板ばね７及び補強板１１を介してベース部材２に固定する一方、レンズホルダ３が開口部６１の内側に配置されるように、四隅部分の内壁に磁石４ａ〜４ｄが固定されたヨーク６をベース部材２に固定する。そして、切り欠き部８２ａでレンズホルダ３の位置決め片３２ａ〜３２ｄを収容するようにレンズホルダ３及びヨーク６の上面に上側板ばね８を載置すると共に、この上側板ばね８の上方に調整板９を載置する。その後、上側板ばね８、調整板９の孔８１ａ、９１を介して固定ピンをヨーク６の孔６６ａ〜６６ｄに挿入すると共に、係合凹部１０３ａ〜１０３ｄが係合片２２ａ〜２２ｄと係合するようにカバー部材１０をベース部材２に固定する。これにより、レンズ駆動装置１の組立作業が完了し、レンズ駆動装置１が完成する。
【００２７】
図３は、組み立てられた状態のレンズ駆動装置１の斜視図である。図３に示すように、このように組み立てられた状態においては、図３に示すように、レンズホルダ３やコイル５等の構成部品がヨーク６の内側に収容され、そのヨーク６の上方側からカバー部材１０が被せられている。レンズホルダ３は、カバー部材１０の開口部１０１の内部において、下側板ばね７によりベース部材５に固定される一方、上側板ばね８によりヨーク６に固定され、これらの上側板ばね８及び下側板ばね７の付勢力（反発力）によって初期位置に保持された状態となっている。不図示のレンズ体は、専用の治具等によりレンズホルダ３の回転を規制した状態で、レンズホルダ３内に図３に示す上方側からねじ込まれる。レンズホルダ３内に組み付けられたレンズ体は、レンズホルダ３と一体的に移動可能に構成される。
【００２８】
レンズホルダ３の外周面に保持されたコイル５に電流を流すと、コイル５に流れる電流が磁石４ａ〜４ｄから発生する磁界と作用することにより、コイル５を図３に示す上下方向に移動させる推力が発生する。本実施の形態に係るレンズ駆動装置１においては、例えば、装置本体を搭載する携帯電話やデジタルカメラの制御部からの駆動指示に応じてコイル５に流す電流量を制御することによってこの推力を変化させ、コイル５を上下移動させ、その位置決めを行う。これにより、コイル５が保持されるレンズホルダ３の位置調節を行うと共に、レンズホルダ３に組み付けられたレンズ体の位置調節を行うことが可能となっている。
【００２９】
図４は、カバー部材１０を取り外した状態のレンズ駆動装置１の上面図である。図４に示すように、上側板ばね８は、切り欠き部８２ａで位置決め片３２ａ〜３２ｃを収容した状態でレンズホルダ３の上方に配置されている。調整板９は、調整片９２ａ〜９２ｃが上側板ばね８の腕部８３の根本部近傍に位置するように上側板ばね８に載置されている。特に、調整片９２ａ〜９２ｃは、腕部８３の根本部よりも僅かに内側固定部８２側の位置において突出すると共に、腕部８３の延伸方向と同一方向（周方向）に延伸している。これにより、調整片９２ａ〜９２ｃは、腕部８３の根本部分の一定範囲に重ねられて押圧力を付与できるように構成されている。
【００３０】
本実施の形態に係るレンズ駆動装置１においては、このように上側板ばね８の腕部８３に押圧力を付与する調整板９を複数種類用意しておき、上側板ばね８の板厚のバラツキ等に起因する、レンズホルダ３（コイル５）に発生する推力の変動に対応する。具体的には、調整片９２ａ〜９２ｃの長さの異なる複数種類の調整板９を用意しておき、レンズ体を組み付ける前段階に測定した推力の測定結果に基づいて調整板９を選択する。その選択した調整板９をレンズ駆動装置１に組み込むことで、上側板ばね８のばね定数の調整を介してレンズホルダ３の推力を調整する。
【００３１】
なお、レンズホルダ３に発生する推力の変動の要因としては、上側板ばね８の板厚のバラツキの他、下側板ばね７の板厚のバラツキ、磁石４ａ〜４ｄの磁力のバラツキ、ヨーク６の透磁率のバラツキ、並びに、これらの組み合わせなど様々な要因が考えられる。本実施の形態に係るレンズ駆動装置１においては、これらの要因の結果として生じ得るレンズホルダ３に発生する推力の変動に対応することから、レンズホルダ３に発生する推力を適切に調整でき、適切にレンズホルダ３の位置調節を行うことが可能となる。
【００３２】
以下、本実施の形態に係るレンズ駆動装置１で用意される複数種類の調整板９の構成について説明する。図５〜図７は、本実施の形態に係るレンズ駆動装置１で用意される複数種類の調整板９の構成を説明するための上面図である。なお、図５〜図７においては、図４と同様に、各種の調整板９が組み込まれた状態のレンズ駆動装置１からカバー部材１０を取り除いた状態について示している。なお、説明の便宜上、図５〜図７に示す調整板９は、それぞれ調整板９ａ、９ｂ、９ｃとして区別するものとする。
【００３３】
図５に示す調整板９ａにおいては、図４に示す調整板９よりも調整片９２ａ〜９２ｃが長く設けられている。すなわち、調整板９ａの調整片９２ａ〜９２ｃは、図４に示す調整板９よりも大きい範囲（長い範囲）で、上側板ばね８の腕部８３の根本部分の近傍に対する押圧力を付与している。このため、図４に示す調整板９よりもレンズホルダ３に発生する推力を低く調整することができる。従って、図４に示す調整板９よりもレンズホルダ３に発生する推力を低く調整する必要がある場合には、この調整板９ａが選択され、レンズ駆動装置１に組み込まれることとなる。
【００３４】
図６に示す調整板９ｂにおいては、図４に示す調整板９よりも調整片９２ａ〜９２ｃが短く設けられている。すなわち、調整板９ｂの調整片９２ａ〜９２ｃは、図４に示す調整板９よりも小さい範囲（短い範囲）で、上側板ばね８の腕部８３の根本部分の近傍に対する押圧力を付与している。このため、図４に示す調整板９よりもレンズホルダ３に発生する推力を高く調整することができる。従って、図４に示す調整板９よりもレンズホルダ３に発生する推力を高く調整する必要がある場合には、この調整板９ｂが選択され、レンズ駆動装置１に組み込まれることとなる。
【００３５】
図７に示す調整板９ｃにおいては、図４に示す調整板９に設けられた調整片９２ａ〜９２ｃを切断した調整板９ｃを示している。すなわち、調整板９ｃにおいて、調整片９２ａ〜９２ｃは存在せず、上側板ばね８の腕部８３の根本部分の近傍に対して押圧力が付与されることはない。このため、図６に示す調整板９よりもレンズホルダ３に発生する推力を高く調整することができる。従って、図６に示す調整板９よりもレンズホルダ３に発生する推力を高く調整する必要がある場合、或いは、レンズホルダ３に発生する推力を調整する必要がない場合に、この調整板９ｃが選択され、レンズ駆動装置１に組み込まれることとなる。
【００３６】
本実施の形態に係るレンズ駆動装置１においては、このように調整片９２ａ〜９２ｃの長さの異なる複数種類の調整板９、９ａ〜９ｃを、レンズ体を組み付ける前段階に測定した推力の測定結果に基づいて選択し、その選択した調整板９をレンズ駆動装置１に組み込むことで、レンズホルダ３の推力の調整を行う。これにより、様々な要因の結果として生じ得る、レンズホルダ３に発生する推力のバラツキを適切に調整でき、適切にレンズホルダ３の位置調節を行うことが可能となる。
【００３７】
特に、本実施の形態に係るレンズ駆動装置１においては、これらの調整板９、９ａ〜９ｃの調整片９２ａ〜９２ｃに対応する腕部８３の根本部分の一部で調整領域が構成され、レンズホルダ３に発生する推力の測定結果に応じて調整板９、９ａ〜９ｃを選択することで、この調整領域における調整片９２ａ〜９２ｃによる押圧位置が決められる。このため、レンズホルダ３に発生する推力のバラツキの各種要因を考慮することなく、効率的にレンズホルダ３に発生する推力を調整可能となっている。
【００３８】
また、本実施の形態に係るレンズ駆動装置１においては、これらの調整板９、９ａ〜９ｃの弾性力を、上側板ばね８のおよそ２倍程度になるように材料を選択していることから、このように製造過程におけるレンズホルダ３に発生する推力の調整を可能としつつ、レンズ駆動装置１に落下等の衝撃が加わった場合には、上側板ばね８と一緒に弾性変形しながら上側板ばね８を保護できるものとなっている。このため、レンズ駆動装置１に落下等の衝撃が加わった場合においても、レンズホルダ３を筐体（ベース部材２及びヨーク６）との間で支持する下側板ばね７及び上側板ばね８の変形を防止することが可能となっている。
【００３９】
ところで、本実施の形態に係るレンズ駆動装置１のように、レンズホルダ３に発生する推力の調整は、調整片９２ａ〜９２ｃに限られるものではなく、他の構成により実現することも可能である。例えば、レンズホルダ３をヨーク６との間で支持する上側板ばね８の腕部８３の長さをヨーク６に対するスポット溶接によって短くすることで、レンズホルダ３に発生する推力を調整することが可能である。
【００４０】
図８は、スポット溶接される上側板ばね８を有するレンズ駆動装置１００を説明するための斜視図である。図９は、スポット溶接される上側板ばねを有するレンズ駆動装置１００のスポット溶接部分の拡大図である。なお、図８及び図９に示すレンズ駆動装置１００においては、本実施の形態に係るレンズ駆動装置１と異なる態様を有するが、上記レンズ駆動装置１と共通する構成部品については、同一の符号を付与し、その説明を省略する。また、図８及び図９に示すレンズ駆動装置１００においては、説明の便宜上、カバー部材１０を省略している。
【００４１】
図８に示すレンズ駆動装置１００においては、レンズホルダ３やコイル５等の構成部品がヨーク６の内側に収容され、レンズホルダ３の上端とヨーク６との間で上側板ばね８が固定される点で本実施の形態に係るレンズ駆動装置１と共通する。しかしながら、図８に示すレンズ駆動装置１００においては、上側板ばね８が有する腕部８３の根本部分の近傍がヨーク６の開口部６１の周縁部上に配置された状態となっている点で、本実施の形態に係るレンズ駆動装置１と相違する（図９参照）。
【００４２】
このレンズ駆動装置１００においては、図９に示すように、レンズ体を組み込む前段階にレンズホルダ３に発生する推力を測定し、その測定結果に応じてヨーク６の開口部６１の周縁部上に配置された上側板ばね８の腕部８３の根本部分の近傍をスポット溶接することで、腕部８３の長さを短くし、レンズホルダ３に発生する推力を調整するものである。例えば、レンズホルダ３に発生する推力を最も低く調整したい場合には、図９に示す溶接点Ａにてスポット溶接が行われ、レンズホルダ３に発生する推力を僅かに低く調整したい場合には、図９に示す溶接点Ｃにてスポット溶接が行われる。
【００４３】
このレンズ駆動装置１によれば、本実施の形態に係るレンズ駆動装置１と同様に、レンズホルダ３に発生する推力を調整することができる。特に、この場合には、スポット溶接という手段でレンズホルダ３に発生する推力を調整することから、調整片９２ａ〜９２ｃの長さの異なる複数種類の調整板９を用意しておく必要がないので、より簡単にレンズホルダ３に発生する推力を調整することが可能となる。しかしながら、このようにスポット溶接によりレンズホルダ３に発生する推力を調整する場合には、レンズホルダ１に落下等の衝撃が加わった場合において、上側板ばね８が変形し易いという問題が残ることから、本実施の形態に係るレンズ駆動装置１のように、弾性を有する調整板９２ａ〜９２ｃを有する調整板９を用いてレンズホルダ３に発生する推力を調整することが好ましい。
【００４４】
以上説明したように、本実施の形態に係るレンズ駆動装置１においては、調整板９が有する調整片９２ａ〜９２ｃにより、筐体との間でレンズホルダ３を支持する上側板ばね８を構成する腕部８３の根本部分の一部を押圧して上側板ばね８のばね定数を調整するようにしたことから、調整板９の一部により上側板ばね８を介してレンズホルダ３に発生する推力を調整することができるので、レンズホルダ３に発生する推力のバラツキを調整しつつ、落下等の衝撃が加わった場合においても、レンズホルダ３を筐体との間で支持する上側板ばね８の変形を防止することが可能となる。
【００４５】
特に、本実施の形態に係るレンズ駆動装置１においては、腕部８３の根本部分の一部に調整領域を設け、レンズホルダ３に発生する推力の測定結果に応じて調整板９、９ａ〜９ｃを選択することで、上記調整領域における調整片９２ａ〜９２ｃによる押圧位置が決められようにしたことから、レンズホルダ３に発生する推力のバラツキの各種要因を考慮することなく、効率的にレンズホルダ３に発生する推力を調整することが可能となる。
【００４６】
また、本実施の形態に係るレンズ駆動装置１においては、調整片９２ａ〜９２ｃを腕部８３に沿って重ねて配置させていることから、調整片９２ａ〜９２ｃで腕部８３の根本部分を確実に押圧することができるので、例えば、腕部８３の根本部分の１点の位置だけで押圧する場合と比べて、レンズホルダ３に発生する推力のバラツキを効果的に調整することが可能となる。また、調整片９２ａ〜９２ｃが腕部８３の動きに追随して動作し易くなるので、必要以上の力が作用した場合にその力を逃がすことができ、落下等の衝撃が加わった場合においても、レンズホルダ３を筐体との間で支持する上側板ばね８の変形を効果的に防止することが可能となる。
【００４７】
さらに、本実施の形態に係るレンズ駆動装置１においては、調整片９２ａ〜９２ｃの弾性力を上側板ばね８よりも強い弾性力に設定していることから、落下等の衝撃が加わった場合に上側板ばね８に完全に追随して変形するのではなく、上側板ばね８に対して効果的に押圧力を付与することができるので、落下等の衝撃が加わった場合においても、レンズホルダ３を筐体との間で支持する上側板ばね８の変形を効果的に防止することが可能となる。
【００４８】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【符号の説明】
【００４９】
１、１００  レンズ駆動装置
２  ベース部材
２１  開口部
２２ａ〜２２ｄ  係合片
２３ａ、２３ｂ  突出片
３  レンズホルダ
３１ａ〜３１ｄ  保持片
３２ａ〜３２ｄ  位置決め片
３３  鍔状部
４ａ〜４ｄ  磁石
４１  外側面部
４２  内側面部
４３  斜面部
５  コイル
６  ヨーク
６１  開口部
６２ａ〜６２ｄ  係合部
６３ａ〜６３ｄ  垂下壁面
６４ａ、６４ｂ  孔
７  下側板ばね
７１  外側固定部
７１ａ  孔
７２  内側固定部
７２ａ  孔
７３  腕部
８  上側板ばね
８１  外側固定部
８１ａ  孔
８２  内側固定部
８２ａ  孔
８３  腕部
９  調整板
９１  孔
９２ａ〜９２ｃ  調整片
１０  カバー部材
１０１  開口部
１０２ａ〜１０２ｄ  係合片
１０３ａ〜１０３ｄ  係合凹部
【図１】
2010217665.tif 000003
【図２】
2010217665.tif 000004
【図３】
2010217665.tif 000005
【図４】
2010217665.tif 000006
【図５】
2010217665.tif 000007
【図６】
2010217665.tif 000008
【図７】
2010217665.tif 000009
【図８】
2010217665.tif 000010
【図９】
2010217665.tif 000011